(57)【要約】【課題】受止体と凹入着脱部とに亘って形成される規制機構に改善を施すことによって、受止体を外れ難くして、長期に亘って可動フードの抜け止め構造を備えたリールシートを提供する。【解決手段】リールシート本体５Ａに、可動フード７をガイド溝５ｈに対して着脱する際の凹入着脱部５Ｆを形成し、凹入着脱部５Ｆにガイド溝５ｈに装着された可動フード７がそのガイド溝５ｈから抜け出すのを阻止する受止体９を設ける。受止体９がガイド溝５ｈに対する延長線に沿った方向へ移動するのを当接規制し、かつ、その延長線に対して直交する方向へ移動するのを係合規制する規制機構を形成してある。【選択図】図６
2011067120.tif 000002
【特許請求の範囲】
【請求項１】
リールシート本体に、リール脚を保持する可動フードを竿軸線方向に沿ってスライド移動自在に装着するガイド機構を形成するとともに、前記ガイド機構の一端側に、前記可動フードをガイド機構に対して着脱する際の着脱部位を形成し、前記着脱部位に前記ガイド機構に装着された前記可動フードがそのガイド機構から抜け出すのを阻止する受止体を設け、前記受止体と前記リールシート本体の前記着脱部位とに亘って、前記受止体が前記ガイド機構に対する延長線に沿った方向へ移動するのを当接規制し、かつ、その延長線に対して直交する方向へ移動するのを係合規制する規制機構を形成してあるリールシート。
【請求項２】
前記規制機構を、前記延長線に沿った方向へ前記受止体の移動を当接規制する当接規制機構と、前記延長線に対して直交する方向への移動を係合規制する係合規制機構とで構成し、前記当接規制機構を、前記受止体から延出された第１突起と前記リールシート本体から立設された前記第１突起に当接受止する第１受止部とで構成し、前記係合規制機構を、前記受止体から延出された弾性変形可能な第２突起と前記リールシート本体から立設された前記第２突起に係合する第２受止部とで構成してある請求項１記載のリールシート。
【発明の詳細な説明】
【技術分野】
【０００１】
本発明は、リールシート本体に、リール脚を保持する可動フードを竿軸線方向に沿ってスライド移動自在に装着するガイド機構を形成するリールシートに関する。
【背景技術】
【０００２】
リールシートの可動フードのスライド移動するガイド構造について、そのガイド機構を、リールシート本体の両横側面に凹入する状態で形成し、可動フードの両側壁の下端部を互いに対向する状態に内向きに折り返して形成した係合片をそのガイド溝内に差し込んで、可動フードをガイド溝に沿ってスライド移動自在に構成してものがある。
そして、可動フードがガイド溝より抜け出すことを受止規制する受止体を設けるべく、リールシート本体における竿元側端部に、受止体に対する着脱部位としての凹入着脱部を形成してある。
前記凹入着脱部には、竿軸線方向に沿って二つの板状横長突起が立設され、受止体の内面には嵌合用凹入部が形成されていた。そして、板状横長突起を嵌合用凹入部に嵌め込んで、受止体がガイド溝の延長方向に移動するのを規制し、その受止体で可動フードの抜け出しを阻止する構成を採っていた（特許文献１参照）。
【先行技術文献】
【特許文献】
【０００３】
【特許文献１】特開２００６−２５６８３号公報（公報段落番号〔００３２〕〔００３３〕、及び、図６図７）
【発明の開示】
【発明が解決しようとする課題】
【０００４】
しかし、上記した構成においては、板状横長突起を嵌合用凹入部に嵌め込んでいるだけであるので、長期使用の間には板状横長突起と嵌合用凹入部との嵌合構造に緩みを生じやすく、受止体が凹入着脱部から脱落する虞も考えられ、嵌合後取り外す場合には受止体を壊さなければならず、互換性にも問題があった。
【０００５】
本発明の目的は、受止体と凹入着脱部とに亘って形成される規制機構に改善を施すことによって、受止体を外れ難くして、長期に亘って可動フードの抜け止め構造を備えたリールシートを提供する点にある。
【課題を解決するための手段】
【０００６】
〔構成〕
請求項１に係る発明の特徴構成は、リールシート本体に、リール脚を保持する可動フードを竿軸線方向に沿ってスライド移動自在に装着するガイド機構を形成するとともに、前記ガイド機構の一端側に、前記可動フードをガイド機構に対して着脱する際の着脱部位を形成し、前記着脱部位に前記ガイド機構に装着された前記可動フードがそのガイド機構から抜け出すのを阻止する受止体を設け、前記受止体と前記リールシート本体の前記着脱部位とに亘って、前記受止体が前記ガイド機構に対する延長線に沿った方向へ移動するのを当接規制し、かつ、その延長線に対して直交する方向へ移動するのを係合規制する規制機構を形成してある点にあり、その作用効果は次の通りである。
【０００７】
〔作用〕
受止体を着脱部位において装着した状態で、受止体が延長線に沿った方向への力を受けて移動しようとしても、規制機構が受止体に当接してその移動を規制する。また、受止体が延長線に対して直交する方向への力を受けて移動しようとしても、規制機構が受止体に係合しているのでその移動を規制する。
したがって、規制機構に受止体に係合する機構を備えているので、受止体が着脱部位から脱落することはなく、それによって、当接する延長線に沿った方向への移動も長期に亘って規制され、可動フードを取り外す際に受止体を壊すということもない。
【０００８】
〔効果〕
このように、規制機構として係合構造を導入することによって、受止体が長期使用の間に着脱部位より外れといったことを十分抑制しながら、ガイド機構の延長線に沿った方向への移動に対しては当接する構造の採用によって、係合する構造を採用する場合に比べて簡素な構成とすることができた。
【０００９】
〔構成〕
請求項２に係る発明の特徴構成は、前記規制機構を、前記延長線に沿った方向へ前記受止体の移動を当接規制する当接規制機構と、前記延長線に対して直交する方向への移動を係合規制する係合規制機構とで構成し、前記当接規制機構を、前記受止体から延出された第１突起と前記リールシート本体から立設された前記第１突起に当接受止する第１受止部とで構成し、前記係合規制機構を、前記受止体から延出された弾性変形可能な第２突起と前記リールシート本体から立設された前記第２突起に係合する第２受止部とで構成してある点にあり、その作用効果は次の通りである。
【００１０】
〔作用効果〕
受止体を着脱部位に装着すると、第２突起が弾性変形しながら第２受止部に係合するとともに第１突起が第１受止部に当接する状態となる。
このように、規制機構を当接する規制機構と係合する規制機構との二つの規制機構を設け、夫々に、当接と係合との機能の違いを持たせて役割分担を図ることによって、長期に亘って安定して可動フードの抜け止め構造を構築するリールシートを提供できるに至った。
【図面の簡単な説明】
【００１１】
【図１】元竿のリールシートにスピンニングリールを取り付けた状態を示す側面図である。
【図２】可動フード及び受止体を取付ていないリールシートを示す平面図である。
【図３】リールシートの左側面を示す側面図である。
【図４】リールシートの前後リール脚載置面と竿軸線を挟んで１８０度反対側に位置する裏面膨出部を示す下面図である。
【図５】図４におけるＩ―Ｉ線断面図である。
【図６】可動フードを取り付けず、かつ、受止体を取り外した状態を示す斜視図である。
【図７】（ａ）受止体を取付台に装着する前の状態を示す縦断背面図、（ｂ）受止体を取付台に装着した状態を示す縦断背面図、（ｃ）受止体を取付台に装着した状態を示す横断平面図である。
【図８】（ａ）受止体を示す縦断側面図、（ｂ）受止体の内部を下から見た状態を示す下面図である。
【図９】ロック機構を備えた可動フードを取り付けた状態を示す斜視図である。
【図１０】（ａ）可動フードのロック構造において、ロック状態を解除している状態を示す縦断側面図、（ｂ）可動フードのロック構造において、ロック状態を示す縦断側面図である。
【発明を実施するための形態】
【００１２】
海釣り、磯釣り等に使用される釣り竿１について説明する。
釣り竿１は、釣竿用竿体としての元竿２、複数の中竿、穂先竿とを夫々糸ガイドを備えて振出式の釣り竿に構成してあり、図１に示すように、元竿２の中間部にリール３を取り付けるリールシート５を外嵌装着してある。
【００１３】
元竿２等は、基本的には、ガラス繊維かカーボン繊維等の強化繊維にエポキシ等の熱硬化性樹脂を含浸させて形成したプリプレグをマンドレルに巻回して筒状に形成し、その筒状に形成した竿素材を焼成して形成されている。
【００１４】
リールシート５の構成について説明する。
図１及び図２に示すように、リールシート５は、ポリエチレン・テレフタレート（ＰＥＴ）やＡＢＳ樹脂等のエンジニアリング樹脂をインジェクションによって成形されている。リール３のリール脚３Ａを取り付ける表側には、固定フード（竿先側フード）６がリールシート本体５Ａと一体形成されており、固定フード６の竿尻側には金属製の可動フード（竿尻側フード）７が竿芯方向にスライド移動自在に装着されている。
【００１５】
リールシート本体５Ａにおけるリール脚載置面部分の構成について説明する。図２及び図３に示すように、固定フード６の脚挿入開口６ａに対応する部分から可動フード側に向けて一定の横幅を備え、後端部で円弧状を呈する浅い凹入溝５Ｂを形成し、その凹入溝５Ｂの底面に長方形状の凹入部５ｂを形成してある。
長方形状の凹入部５ｂは、型番を記したラベル（シール）や竿のネーミングを記した銘板等の薄板状部材Ｌを貼付する部分であり、竿先側に位置する前端は、固定フード６の内部空間内に入り込む状態に形成してある。薄板状部材Ｌの厚みは、凹入部５ｂの底面に貼付した状態で凹入部５ｂの上端より突出しない程度に形成されている。
このように、リール脚載置面５Ｃより一段凹入する状態でかつ固定フード６の内部空間内まで延出してあるので、銘板等が凹入部５ｂより突出することがなく、剥がれ難く、かつ、装飾性も高い。
【００１６】
凹入溝５Ｂの左右両側には、リール脚３Ａから前方に向けて延出された前足部を支持する前リール脚載置面５Ｃが形成してある。前リール脚載置面５Ｃの両横側端部５ｃは、平面視において、長方形状の凹入部５ｂの後端に対応する位置で最も近接する状態にあり、その後端より竿先側及び竿元側に位置する程互いに遠ざかる状態となるように、湾曲形成されている。このような構成によって、前リール脚載置面５Ｃは、固定フード６に近接する竿先側端から竿元側に位置する程横側端部５ｃが竿軸線Ｘ側に絞り込まれる状態となり、長方形状の凹入部５ｂの後端に対応する中間部分５ｊが最も横幅が狭くなり、その横幅の狭い中間部分５ｊから竿先側及び竿元側に位置する程横側方に広がる形状に形成されている。
したがって、リール脚３Ａとリールシート５を共握りする際に、前リール脚載置面５Ｃの横側端部５ｃが絞り込まれているので、横幅が狭いだけに握りやすくかつ竿先側及び竿元側程広がっているので握った手が竿先側や竿元側に動き難く安定した握りを確保できるようになっている。
なお、凹入溝５Ｂの左右端においては、前リール脚載置面５Ｃから凹入溝５Ｂ内に入り込む傾斜面５ｄが形成されている。また、前リール脚載置面５Ｃは、固定フード側から可動フード側に近づく程やや下り傾斜する状態に形成してある。
【００１７】
図２及び図３に示すように、凹入溝５Ｂの後端より竿元側には、リール脚３Ａの竿元側に延出された後足部を支持する後リール脚載置面５Ｄが形成されている。後リール脚載置面５Ｄは、前リール脚載置面５Ｃより若干高く（竿軸線からの径方向間隔が大きい）位置する状態に形成してあり、略平坦面に形成されている。後リール脚載置面５Ｄの左右中心位置には、中心凹入溝５Ｅが形成してあり、固定フード６に近接する側に円弧状の前端５ｇが形成されている。中心凹入溝５Ｅは、前端５ｇが位置する側においては、比較的浅い底部５ｅに形成されており、浅い底部５ｅの竿元側にはやや深い底部５ｆが形成されている。
この中心凹入溝５Ｅには、後記する鋸歯状の受止歯８が嵌めこみ固定される。
【００１８】
後リール脚載置面５Ｄは、左右端に向う程僅かに下向き傾斜状態に形成されており、竿先側の前端部の左右中心位置が僅かに高くなっている。後リール脚載置面５Ｄの前端５ｇは竿先側に突出する円弧状に形成してあり、その前端５ｇに下方側程前方に位置する傾斜面５ｉを形成してある。後リール脚載置面５Ｄの横側面には、内向きのガイド溝５ｈが形成してあり、可動フード７の前後移動を案内すべく構成してある。
上記の如く、前リール脚載置面５Ｃ及び後リール脚載置面５Ｄが形成されているので、リール足の種々形状であっても、また多少リール足の形状が変形しているようなものであっても、リールはガタなく強固にリールシート部に取付られる。
【００１９】
次に、リールシート本体５Ａの横側面に形成されているウエイブ（指当て）構造について説明する。図２〜図４、図６及び図９に示すように、凹入する湾曲形状に形成された両横側端部５ｃから左右の横側面にかけて、横側端部５ｃから周方向に離れる程竿元側に偏位する凹入面６ｅを形成してある。
この凹入面６ｅの構成について詳述すると、前記した両横側端部５ｃより側面視で上方に位置する固定フード６においては、その脚挿入開口６ａの開口縁６ｂを下方程竿元側に下り傾斜する状態に形成してある。そして、その開口縁６ｂは、前記凹入面６ｅの下端縁を形成する下突出縁６ｃに繋がっている。その下突出縁６ｃは、側面視において横側端部５ｃから離れる下方に位置する程竿元側に偏位する円弧状に形成され、徐々に終端位置で水平状態に切り換わるように形成されている。
一方、凹入面６ｅを挟んで下突出縁６ｃの上方には、凹入面６ｅの上端位置を現出する上突出縁６ｄが形成してあり、この上突出縁６ｄは、前リール脚載置面５Ｃの横側端部５ｃにおける中間部分５ｊより下突出縁６ｃに対して略一定の間隔を維持しながら、緩やかに後方水平状態に向けて湾曲するように形成してある。
【００２０】
上下突出縁６ｃ、６ｄの間の凹入面６ｅは、前リール脚載置面５Ｃの両横側端部５ｃが呈する凹入形状を維持するように、上下突出縁６ｃ、６ｄの中間部程凹入深さを僅かに深くしながら、中間部の凹入深さを竿元側の水平域に向けて徐々に浅くなるようにウエイブ構造を形成し、後リール脚載置面５Ｄの竿元端に対応する位置でリールシート本体５Ａの外周面に段差なく連なっている。
同様に、上突出縁６ｄと後リール脚載置面５Ｄの横側縁との間の部分６ｆも両者の間の中間部程凹入深さを僅かに深くするウエイブ構造に形成されている。
【００２１】
このような構造によって、次のようなことが言える。図１で示すように、リールシート５とリール脚３Ａとを共握りする手指の内、中指の先端が丁度横側端部５ｃ及び上下突出縁６ｃ、６ｄの間の凹入面６ｅにあてがわれることとなって、中指の握り状態が安定する。一方、上突出縁６ｄと後リール脚載置面５Ｄの横側縁との間には、薬指があてがわれることとなり、薬指の載置状態が安定する。
【００２２】
図３〜図５に示すように、リールシート５の前リール脚載置面５Ｃと後リール脚載置面５Ｄとを形成している面に対して竿軸線Ｘを挟んで１８０度反対側の面には、裏面膨出部５Ｈが形成されている。裏面膨出部５Ｈは、側面視において山形状を呈しかつ裏面視において略菱形状を呈する細溝５ｒによって区画されている。
この裏面膨出部５Ｈにおいては表面に、弾性の高いゴム系の塗料が施されて、リール脚３Ａとリールシート５とを共握りした場合に、手の掌がこの裏面膨出部５Ｈにあてがわれることとなり、裏面膨出部５Ｈが握り易く手に圧迫感を受け難い握り心地を与えるものである。
【００２３】
次に、可動フード７に対する受止体９についての取付構造について説明する。図１に示すように、受止体９は、可動フード７より後方の竿元側に取付られて、可動フード７を所定位置に装着する場合には取り外され、装着後は所定位置に取付られて可動フード７の抜け出しを抑制する。
【００２４】
受止体９の取付構造は、次のようになっている。図２及び図３、図６から図９に示すように、後リール脚載置面５Ｄの竿元側に着脱部位としての凹入着脱部５Ｆが形成されており、この凹入着脱部５Ｆは、平面視で後端側程横幅を狭める半楕円状に形成してある。図６に示すように、凹入着脱部５Ｆの底面５ｋには、平面視十字状を呈する取付台５Ｇが立設してあり、この取付台５Ｇに対して上方側から受止体９を差し込むように構成してある。
【００２５】
図２及び図３に示すように、取付台５Ｇは、竿先側に横向きの板状の第２受止部としての「前受止部５ｍを立設するとともに、前受止部５ｍの竿元側に同じく横向き板状の第１受止部としての後受止部５ｎが立設してある。前受止部５ｍの横幅が後受止部５ｎより広く、高さが高い。前受止部５ｍと後受止部５ｎとは、竿軸線Ｘ方向に沿った板状繋ぎ部によって一体的に連結されて、構成されている。
図７（ａ）に示すように、前受止部５ｍの横側面には、上端部分に横向きに張り出す引っ掛け係止部５ｐが形成されており、後記するように、受止体９の上方への抜け出しを防止すべく構成する。引っ掛け係止部５ｐの上方には、上端角部を円弧状に形成した誘導ガイド面５ｑが設けてあり、受止体９の取付台５Ｇへの取付易さを確保している。
【００２６】
次に、受止体９の構成について説明する。図７及び図８に示すように、受止体９は、本体部分９Ａの断面が略チャンネル状を呈しており、竿元側に位置することとなる後端部分で左右の側壁部分９Ｂがその下端縁９ｂを円弧状に形成して、図８（ａ）に示すように、その下端縁９ｂが後端側程上方に位置するように上向き円弧状に形成してある。本体部分９Ａの天井部９ａは略平板面であるが、後端側においてやや下向きに傾斜した状態に形成されている。
【００２７】
図８（ａ）（ｂ）に示すように、本体部分９Ａの内面には、取付台５Ｇの前後受止部５ｍ,５ｎに係合する前後に位置する第２突起としての前係合突起９Ｃと第１突起としての後係合突起９Ｄが形成してある。本体部分９Ａの内周面は、左右の中心部に上向きにやや円弧状を呈する中央面９ｃと、その中央面９ｃを囲むように第１傾斜面９ｄが形成されており、第１傾斜面９ｄを更に囲むように、第１傾斜面９ｄより傾斜が緩やかな第２傾斜面９ｅが形成してある。
【００２８】
第１傾斜面９ｄにおける左右部分に、夫々、前係合突起９Ｃが形成されている。前係合突起９Ｃは前後向き姿勢の板状体であり、内側側面の下端部分に下端側程内側から外側に傾斜する傾斜誘導面９ｆを形成してある。前係合突起９Ｃの上端面９ｇは直線水平面に形成してある。後突起９Ｄは、中央面９ｃと第１傾斜面９ｄとの境界に跨るように形成されており、横向きに長くなる板状を呈している。
【００２９】
以上のような構成によって、受止体９を着脱部位に設けた取付台５Ｇに装着して構成する規制機構について説明する。受止体９を装着するには、図７（ａ）に示す状態から所定位置において下方に押し込むと、前係合突起９Ｃが前受止部５ｍの誘導ガイド面５ｑに当接しながらその傾斜構造に誘導され、引っ掛け係止部５ｐの下方に回り込んで、その引っ掛け係止部５ｐに係合する。このような装着構造は、受止体９が弾性変形可能な構造を採っているからである。
ここに、前係合突起９Ｃと前受止部５ｍとで係合規制機構を構成する。
一方、後突起９Ｄは後受止部５ｎの竿先側に挿入され、後受止部５ｎに対して前方側から当接して、受止体９が竿元側に抜け出すことを防止する構成を採っている。
ここに、後突起９Ｄと後受止部５ｎとで当接規制機構を構成する。
【００３０】
可動フード７の取付構造について説明する。図９及び図１０に示すように、可動フード７は、断面チャンネル状の本体部７Ａと本体部７Ａの後端部に一体形成されている左右一対のドーム型軸受け部７Ｂとを備えるとともに、本体部７Ａ内の天井面に柔軟材製のリール脚保持体７Ｃと、リール脚保持体７Ｃの後端部に片持ち支持されるロック片７Ｄと、左右一対のドーム型軸受け部７Ｂに揺動自在に支持されているロック操作具７Ｅとで構成されている。
【００３１】
本体部７Ａの左右側壁部７ａの下端には本体部７Ａの内側に向けて折り返えされた係合片７ｂが形成してあり、この係合片７ｂをリールシート５の両側面に形成したガイド溝５ｈに係合させて、係合片７ｂがガイド溝５ｈに沿って移動するように、可動ガイド７を竿軸線Ｘ方向に沿ってスライド移動可能に構成してある。ここに、ガイド溝５ｈと係合片７ｂとで、可動ガイド７をスライド移動可能にガイドするガイド機構を構成する。
【００３２】
可動フード７のリール脚保持状態を維持するロック機構Ｒについて説明する。図１０（ｂ）に示すように、前記したリール脚保持体７Ｃより後方に向けてロック片７Ｄが片持ち状態で延出されている点について言及した。このロック片７Ｄは、バネ板材等の板材で形成されており、弾性復元変形力が高く、かつ、先端側においてドーム状の係止部７ｄが形成されている。
一方、リールシート５における中心凹入溝５Ｅには、鋸歯状の受止歯８が嵌めこみ固定される点について言及した。この受止歯８の歯部８ａに対してロック片７Ｄの係止部７ｄの先端が係合して、可動フード７が竿元側に移動することを阻止すべく構成してある。
【００３３】
ロック操作具７Ｅは、左右一対のドーム型軸受け部７Ｂに上下揺動自在に支持された部分より前方に向けて摘み操作部７ｅが延出してあり、摘み操作部７ｅの基端部にドーム型軸受け部７Ｂに支持される支持片（図示せず）とともにロック片７Ｄに作用する作用部７ｆを形成してある。
図１０（ｂ）に示すように、作用部７ｆでロック片７Ｄのドーム状の係止部７ｄを押さえることによって、ロック片７Ｄのドーム状の係止部７ｄを受止歯８の歯部８ａに対して係合させることができる。
【００３４】
図１０（ａ）に示すように、ロック操作具７Ｅを起こしてロック状態を解除した状態から摘み操作部７ｅを持って、図１０（ｂ）に示すように、ロック操作具７Ｅを倒して可動フード７の本体部７Ａに被せると、前記したように、摘み操作部７eの作用部７ｆがロック片７Ｄのドーム状の係止部７ｄを係合させてロック状態を現出する。
【００３５】
ロック操作具７Ｅの摘み操作部７ｅは板状部材をチャンネル状に屈曲形成したものであり、左右の横側辺部７ｇを指で摘むことによって、揺動操作が可能である。そこで、横側辺部７ｇを摘み易くする為に、図９で示す横側辺部７ｇの下端部に、ショットピーニングによる滑り止め機構ａを施してある。滑り止め機構ａとしては、梨地処理を施してもよい。
このような構成によって、撒餌の付いた指で摘むことがあっても滑り難く揺動操作が行いやすい。
【００３６】
〔別実施の形態〕
（１）  規制機構としては、係合規制機構を前方に配置し、当接規制機構を後方に配置して、上方側から受止体９を装着する構成を示したが、規制機構の位置関係に制限はなく、かつ、受止体９の装着方向にも制限はなく、横側方から装着する形態を採ってもよい。
（２）  取付台５Ｇとして、第１受止部５ｍと第２受止部５ｎを一体で形成したが、第１受止部５ｍと第２受止部５ｎを別個に形成してもよい。
（３）  本発明の実施形態においては、凹入部５ｂを形成してあればよく、
（イ）  筒状リールシート本体５Ａのウエイブ構造、
（ロ）  リールシート本体５Ａのリール脚載置面５Ｃにおける銘板Ｌ取付用凹部５ｂを形成した構造
（ハ）  ロック片７Ｅへの滑り止め構造
については、適宜選択して実施することが可能である。
【産業上の利用可能性】
【００３７】
本発明は、筒状リールシートを備える磯竿や板状リールシートを備える投げ竿に適用することができる。
【符号の説明】
【００３８】
３Ａ          リール脚
５Ａ          リールシート本体
５Ｆ          凹入着脱部（着脱部位）
５ｍ          第１受止部
５ｎ          第２受止部
７            可動フード
９            受止体
９Ｃ          第２突起
９Ｄ          第１突起
Ｘ            竿軸芯
【図１】
2011067120.tif 000003
【図２】
2011067120.tif 000004
【図３】
2011067120.tif 000005
【図４】
2011067120.tif 000006
【図５】
2011067120.tif 000007
【図６】
2011067120.tif 000008
【図７】
2011067120.tif 000009
【図８】
2011067120.tif 000010
【図９】
2011067120.tif 000011
【図１０】
2011067120.tif 000012